(57)【要約】      （修正有）【課題】装着時の布体のズレ動きを確実に防ぐことができ、従って所望位置に図柄模様を配置させることが容易な着せ替えバッグを提供する。【解決手段】アウターバッグ２内に落とし込まれるインナーバッグ３に布端挿入部３７を形成した。そして、インナーバッグ３の外面に布体５を沿わしたうえで、布端挿入部３７に布体５の端部を挿入することで、バッグに布体５を固定させることができるようにした。これによれば、布体５をインナーバッグ３の外面に装着した際に表面に現出される布体５の図柄模様を、最終的にアウターバッグ２の透明な周壁を介して表面に現出されるバッグ全体の図柄模様と一致させることが容易であり、従って所望位置に布体５の図柄模様を配置させることが容易である。【選択図】図１
0003158885.tif 000002
【実用新案登録請求の範囲】
【請求項１】
上方開口（２０）を有し、少なくともその周壁が透明なアウターバッグ（２）と、該アウターバッグ（２）の内形形状よりも小さな外形形状を有し、前記上方開口（２０）よりアウターバッグ（２）内に落とし込まれるインナーバッグ（３）とを備え、これらアウターバッグ（２）とインナーバッグ（３）との間に挟持される布体（５）を変更することで、外観体裁を変更し得るバッグであって、
インナーバッグ（３）の上方開口（３０）には、布体（５）の端部の挿入を許す布端挿入部（３７）が少なくとも４個設けられており、インナーバッグ（３）の外面に布体（５）を沿わしたうえで、布端挿入部（３７）に布体（５）の端部を挿入することで、インナーバッグ（３）の外面に布体（５）を装着することができるようになっており、
インナーバッグ（３）およびアウターバッグ（２）の上方開口（３０・２０）のそれぞれには、持手（６・７）を取り付けるための持手装着部（２６・３６）が設けられており、
少なくともインナーバッグ（３）の持手（７）が、該バッグ（３）に対して着脱可能に構成されていることを特徴とするバッグ。
【請求項２】
アウターバッグ（２）の持手（６）が、バンド状の持手本体（６１）と、持手本体（６１）の両端に設けられた係止部（６２）とを有し、
インナーバッグ（３）をアウターバッグ（２）内に落とし込んだとき、両バッグ（２・３）の持手装着部（２６・３６）の開設位置が一致し得るようになっており、アウターバッグ（２）の持手（６）の係止部（６２）を両バッグ（２・３）の持手装着部（２６・３６）に同時的に係止させることができるようになっている、請求項１記載のバッグ。
【請求項３】
インナーバッグ（３）とアウターバッグ（２）のそれぞれが、上方開口（３０・２０）を有する有底長四角袋状に形成されており、
両バッグ（２・３）の上方開口縁の二つの長辺のそれぞれには、二つずつ持手装着部（２６・３６）が開設されており、
インナーバッグ（３）をアウターバッグ（２）内に落とし込んだとき、両バッグの持手装着部（２６・３６）の開設位置が一致するように構成されている、請求項２記載のバッグ。
【請求項４】
インナーバッグ（３）の上方開口（３０）を防ぐための蓋体（８）が、該インナーバッグ（３）に対して着脱可能に構成されている、請求項１乃至３のいずれかに記載のバッグ。
【考案の詳細な説明】
【技術分野】
【０００１】
本考案は、外観に現れる図柄模様をＴＰОに合わせて変更可能なバッグ（着せ替えバッグ）に関する。
【背景技術】
【０００２】
この種の着せ替えバッグは、例えば特許文献１に公知である。特許文献１に記載のバッグは、上方開口を有するバッグ本体と、バッグ本体の内部に収容される筒状の内周保持部と、バッグ本体および内周保持部に落とし込まれる底板部の、計三つの部材からなり（特許文献１の図１参照）、バッグ本体と内周保持部の間に装着される布体（スカーフ）を変更することで、外観に現れる柄や模様等を変更することができる。バッグ本体の上方開口には、スカーフの端が挿入されるスカーフ挿入部と、リング部が設けられている。
【０００３】
特許文献１においてスカーフを装着する際には、先ず、スカーフの四隅がスカーフ挿入部、リング部と重なるような位置関係を維持しつつ、バッグ本体の収容部の上にスカーフを広げ、その上から内周保持部を収容部に落とし込み、内周保持部とバッグ本体の内面との間にスカーフを挟持させる。続いて、底板部を収容部に挿入してから、スカーフの四隅の各一端をスカーフ挿入部とリング部にそれぞれ挿入する。これにて、スカーフの図柄模様を、バッグ本体の透明な周壁を介して表面に現出させることができるので、図柄模様の異なるスカーフを選択し、これをバッグ本体に装着することで、バッグ全体の外観の印象を変更することができる。
【先行技術文献】
【特許文献】
【０００４】
【特許文献１】登録実用新案第３１５２５３０号公報
【考案の概要】
【考案が解決しようとする課題】
【０００５】
特許文献１のバッグの問題は、スカーフがバッグ本体の収容部の上に広げられた状態から、内周保持部を収容部に落とし込むときにスカーフがずれ動き易く、スカーフの図柄模様を所望の位置に配置させることが困難なことにある。また、バッグ本体内に落とし込まれる内周保持部が、底部の無い無底筒状であるため、これのみではバッグとしての用をなさず、換言すれば、内周保持部をインナーバッグとして用いることができない点にも実用利便上の不利がある。加えて、バッグ本体内における内周保持部の位置保持構造を有しないため、内周保持部がずれ動くおそれがあり、ずれ動いた内周保持部でスカーフに皺ができるおそれもある。
【０００６】
本考案は、装着時の布体のズレ動きを確実に防ぐことができ、従って所望位置に布体の図柄模様を配置させることが容易な着せ替えバッグを提供することにある。また、本考案は、必要に応じてインナー部材をバッグとしても使用することが可能であり、実用利便性に優れた着せ替えバッグを提供することにある。
【課題を解決するための手段】
【０００７】
本考案は、上方開口２０を有し、少なくともその周壁が透明なアウターバッグ２と、該アウターバッグ２の内形形状よりも小さな外形形状を有し、前記上方開口２０よりアウターバッグ２内に落とし込まれるインナーバッグ３とを備え、これらアウターバッグ２とインナーバッグ３との間に挟持される布体５を変更することで、外観体裁を変更し得るバッグに関する。インナーバッグ３の上方開口３０には、布体５の端部の挿入を許す布端挿入部３７が少なくとも４個設けられており、インナーバッグ３の外面に布体５を沿わしたうえで、布端挿入部３７に布体５の端部を挿入することで、インナーバッグ３の外面に布体５を装着することができるようになっている。インナーバッグ３およびアウターバッグ２の上方開口３０・２０のそれぞれには、持手６・７を取り付けるための持手装着部２６・３６が設けられている。そして、少なくともインナーバッグ３の持手７が、該バッグ３に対して着脱可能に構成されていることを特徴とする。
なお、ここで言う透明とは、無色透明のほか、有色透明や半透明などを含む概念である。
【０００８】
アウターバッグ２の持手６が、バンド状の持手本体６１と、持手本体６１の両端に設けられた係止部６２とを有する。インナーバッグ３をアウターバッグ２内に落とし込んだとき、両バッグ２・３の持手装着部２６・３６の開設位置が一致し得るようになっており、アウターバッグ２の持手６の係止部６２を両バッグ２・３の持手装着部２６・３６に同時的に係止させることができるようになっている。
【０００９】
インナーバッグ３とアウターバッグ２のそれぞれが、上方開口３０・２０を有する有底長四角袋状に形成されており、両バッグ２・３の上方開口縁の二つの長辺のそれぞれには、二つずつ持手装着部２６・３６が開設されており、インナーバッグ３をアウターバッグ２内に落とし込んだとき、両バッグの持手装着部２６・３６の開設位置が一致するように構成されている。
【００１０】
インナーバッグ３の上方開口３０を防ぐための蓋体８が、該インナーバッグ３に対して着脱可能に構成されている。
【考案の効果】
【００１１】
本考案に係る着せ替えバッグにおいては、アウターバッグ２内に落とし込まれるインナーバッグ３に布端挿入部３７を形成した。そして、インナーバッグ３の外面に布体５を沿わしたうえで、布端挿入部３７に布体５の端部５ａ〜５ｄを挿入することで、バッグに布体５を固定させることができるようにした。これによれば、上記のように、布端挿入部３７を用いてインナーバッグ３の外面に布体５を装着したうえで、布体５ごとインナーバッグ３をアウターバッグ２内に落とし込むことで、インナーバッグ３とアウターバッグ２との間に布体５を挟持させて、該布体５をバッグに固定させることができるので、布体５をインナーバッグ３の外面に装着した際に表面に現出される布体５の図柄模様５０を、最終的にアウターバッグ２の透明な周壁を介して表面に現出されるバッグ全体の図柄模様と一致させることが容易であり、従って、従来の特許文献１に記載のバッグに比べて、図柄模様の位置合わせ作業が容易且つ確実であり、作業効率良く、布体５の装着作業を含むバッグの組立作業を進めることが可能となる。
すなわち、特許文献１に記載の従来の着せ替えバッグのように、アウターバッグ（バッグ本体）の上面に布体（スカーフ）を載置したうえで、インナーバッグ（内周保持部）を落とし込むことで、アウターバッグ（バッグ本体）とインナーバッグ（内周保持部）との間に布体（スカーフ）を挟持させる形態においては、インナーバッグ（内周保持部）の落とし込み作業時に不用意に布体がずれ動いて、最終的に現出される図柄模様が位置ずれするおそれがある。これに対して、本考案に係るバッグは、予めインナーバッグ３に布体５を装着したうえで、布体５およびインナーバッグ３をアウターバッグ２内に落とし込む形態であるから、インナーバッグ３に装着したときに現れる布体５の図柄模様５０と、アウターバッグ２内に落とし込んだときに現れる最終的な布体５の図柄模様５０とを一致させることは容易であり、従って、特許文献１の形態に比べて、格段に作業効率良く、しかも確実にバッグに現出される図柄模様５０を決定することができる。このことは、布体５の変更に伴う図柄模様５０の変更作業が容易であることを意味し、バッグの組立作業の作業者負担の軽減を図ることができる。
【００１２】
本考案においては、従来の無底筒状の内周保持部に代えて、アウターバッグ２に落とし込まれるインナー部材をインナーバッグ３とした。つまり、インナー部材を有底袋状のインナーバッグ３とした。加えて、アウターバッグ２だけでなく、インナーバッグ３にも持手装着部３６を設けて、インナーバッグ３に持手７を着脱可能に構成した。以上の構成より本考案によれば、適宜にインナーバッグ３をアウターバッグ２から取り出し、インナーバッグ３に持手７を付けるだけで、これをアウターバッグ２とは独立別個の通常のバッグとして使用することができる。つまり、常態における図２に示すようなバッグ形態から、インナーバッグ３とアウターバッグ２の二つのバッグとすることができる。これにより、例えば、外出先でもう一つバッグが必要となった場合には、インナーバッグ３を通常のバッグとして用いることができるので、着せ替え用バッグに、従来には無い実用利便性を与えることができる。
【００１３】
アウターバッグ２の持手６を着脱可能に構成することができる。また、インナーバッグ３をアウターバッグ２内に落とし込んだとき、両バッグ２・３の持手装着部２６・３６の開設位置が一致し得るようになっており、アウターバッグ２の持手６の係止部６２を両バッグ２・３の持手装着部２６・３６に同時的に係止させることができるように構成することができる。これによれば、両バッグ２・３の持手装着部２６・３６に係止部６２を係止させるだけで、係止部６２によりインナーバッグ３とアウターバッグ２とを一体化することができるので、アウターバッグ２内でのインナーバッグ３の遊動や位置ズレを確実に防止することができる。これにて、インナーバッグ３がアウターバッグ２内で遊動等することにより、布体５に皺ができるなどの不都合の発生を確実に防ぐことができる。布体５に皺ができることにより、バッグ全体の外観体裁が低下することを防ぐこともできる。
【００１４】
インナーバッグ３とアウターバッグ２のそれぞれが、上方開口３０・２０を有する有底長四角袋状に形成されており、両バッグ２・３の上方開口縁の二つの長辺のそれぞれには、二つずつ持手装着部２６・３６が開設されており、インナーバッグ３をアウターバッグ２内に落とし込んだとき、両バッグ２・３の持手装着部２６・３６の開設位置が一致するように構成されていると、両バッグ２・３の持手装着部２６・３６の位置合わせが不要となる分だけ、持手６の係止部６２の両バッグ２・３の持手装着部２６・３６に対する係止作業を簡素化することができる。従って、インナーバッグ３に対する布体５の装着作業から、インナーバッグ３のアウターバッグ２への落とし込み作業を含む、一連のバッグ組立作業の作業者負担の軽減を図ることができる。
【００１５】
インナーバッグ３の上方開口３０を防ぐための蓋体８が、該インナーバッグ３に対して着脱可能に構成されていると、上方開口３０からの収容物の突出防止効果や、上方視から収容物を隠す遮蔽効果のほか、布端挿入部３７から突出する布端５ａ〜５ｄを上方から隠す遮蔽効果が期待できる。すなわち、布端挿入部３７から突出する布端５ａ〜５ｄはギャザー状となることが多く、だらし無い印象を与えるおそれがあるが、これを蓋体８で隠すことができれば、当該印象を与えることを防ぐことができる。加えて、蓋体８がインナーバッグ３に対して着脱可能に構成されていると、インナーバッグ３の収容容積の調整が容易で、実用利便性に富む。
【図面の簡単な説明】
【００１６】
【図１】本考案に係るバッグを示す分解斜視図である。
【図２】バッグの正面図である。
【図３】インナーバッグの斜視図である。
【図４】図２のＡ−Ａ線断面図である。
【図５】インナーバッグとアウターバッグの持手による係止状態を説明するための図である。
【図６】布体のインナーバッグへの装着方法を説明するための図である。
【図７】インナーバッグの外観斜視図であり、持手を装着した状態を示している。
【考案を実施するための最良の形態】
【００１７】
（実施形態）  図１ないし図７に、本考案に係るバッグの実施形態を示す。このバッグ１は、Ｔ（Ｔｉｍｅ）、Ｐ（Ｐｌａｃｅ）、Ｏ（Ｏｃｃａｓｉｏｎ）に合わせて外観体裁を変えることができる、所謂「着せ替えバッグ」である。図１に示すように、バッグ１は、上方開口２０を有する有底長四角袋状に形成されたアウターバッグ２と、上方開口２０よりアウターバッグ２内に落とし込み装着されるインナーバッグ３と、アウターバッグ２とインナーバッグ３との間に挟持固定されるスカーフ（布体）５と、一対の持手６・６などで構成される。図柄の異なるスカーフ５をアウターバッグ２とインナーバッグ３との間に取り付けることで、バッグ１の全体の外観体裁を適宜に変更することができる。
なお、符号７・７は、インナーバッグ３用の持手を示す。これら持手７・７の使用方法については後述する。
【００１８】
アウターバッグ２は、第１シート２１、第２シート２２、および第３シート２３からなり、これらシート２１・２２・２３を有底長四角袋状に縫合して形成される。各シート２１・２２・２３は、透明の合成樹脂材を素材とする軟性シートからなる。第１シート２１は、アウターバッグ２の底壁２４、および前後側壁２５ａ・２５ｂを構成する長方四角形状のシート体であり、底壁２４の前後二辺のそれぞれに、前側壁２５ａと後側壁２５ｂとが上方に折り曲げられた状態で連設されている。前後側壁２５ａ・２５ｂの上端のそれぞれには、内面に沿うように下方に折り返された折返し部２５ｅ・２５ｅが形成されており、前後側壁２５ａ・２５ｂと折返し部２５ｅ・２５ｅとが重なる重畳部が形成されている（図５参照）。
【００１９】
第２シート２２は、アウターバッグ２の右側壁２５ｃを構成する長方四角形状のシート体であり、その前後辺および下辺が、第１シート２１の底壁２４および前後側壁２５ａ・２５ｂの右辺と縫合されている。同様に、第３シート２３は、アウターバッグ２の左側壁２５ｄを構成する長方四角形状のシート体であり、その前後辺および下辺が、第１シート２１の底壁２４および前後側壁２５ａ・２５ｂの左辺と縫合されている。
なお、第１シート２１の折返し部２５ｅ・２５ｅの左右辺は、前後側壁２５ａ・２５ｂの左右辺とともに、第２・３シート２２・２３と縫合されている。
以上のように、これら第１〜第３シート２１〜２３を縫い合わせることで、図１のような前後方向を短辺とし、左右方向を長辺とする、長四角袋状のアウターバッグ２を得ることができる。なお、前後側壁２５ａ・２５ｂと左右側壁２５ｃ・２５ｄで構成されるアウターバッグ２の周壁のいずれか一つ、あるいは二以上の周壁には、ポケットを形成することができる。
【００２０】
図１に示すように、アウターバッグ２の上端周縁の四箇所に、持手６を係止するためのリング２６が装着固定されている。詳しくは、アウターバッグ２の長方四角形（上方視）の長辺を構成する前側壁２５ａおよび後側壁２５ｂの上端のそれぞれに、二つずつリング（持手装着部）２６・２６が装着されている。前側壁２５ａ・２５ｂにおける、左右端を基準とするリング２６の装着位置は均等に設定されている。なお、各リング２６は、前後側壁２５ａ・２５ｂと折返し部２５ｅの重畳部に、リング２６の内径寸法と略同寸法の開口を開設し、該開口に内外方向から半割りのリング部材を位置合わせしたうえで、これら両リング部材をかしめることで固定されている。
【００２１】
図１および図３に示すように、インナーバッグ３は、上方開口３０を有する有底長四角袋状に形成された布製のバッグであり、第１シート３１、第２シート３２および第３シート３３を縫合して形成される。第１シート３１は、インナーバッグの底壁３４、および前後側壁３５ａ・３５ｂを構成する長方四角形状の布製のシート体であり、底壁３４の前後二辺のそれぞれに、前側壁３５ａと後側壁３５ｂとが上方に折り曲げられた状態で連設されている。前後側壁３５ａ・３５ｂの上端には、内面に沿うように下方に折り返された折返し部３５ｅ・３５ｅが形成されており、前後側壁３５ａ・３５ｂと折返し部３５ｅ・３５ｅとが重なる重畳部が形成されている（図５参照）。
【００２２】
第２シート３２は、インナーバッグ３の右側壁３５ｃを構成する長方四角形上のシート体であり、その前後辺および下辺が、第１シート３１の底壁３４および前後側壁３５ａ・３５ｂの右辺と縫合されている。同様に、第３シート３３は、インナーバッグ３の左側壁３５ｄを構成する長方四角形状のシート体であり、その前後辺および下辺が、第１シート３１の底壁３４および前後側壁３５ａ・３５ｂの左辺と縫合されている。
なお、第１シート２１の折返し部２５ｅ・２５ｅの左右辺は、前後側壁２５ａ・２５ｂの左右辺とともに、第２・３シート２２・２３と縫合されている。
以上のように、これら第１〜第３シート３１〜３３を縫い合わせることで、図１および３のような前後方向を短辺とし、左右方向を長辺とする、長四角袋状のインナーバッグ３を得ることができる。なお、前後側壁３５ａ・３５ｂと左右側壁３５ｃ・３５ｄで構成されるインナーバッグ３の周壁のいずれか一つ、あるいは二以上の周壁には、ポケットを形成することができる。
【００２３】
図３に示すように、インナーバッグ３の上端周縁の四箇所に、持手６或いは持手７を係止するためのリング３６が装着固定されている。詳しくは、インナーバッグ３の長方四角形（上方視）の長辺を構成する前側壁３５ａおよび後側壁３５ｂの上端のそれぞれに、二つずつリング（持手装着部）３６・３６が装着されている。前側壁３５ａ・３５ｂにおける、左右端を基準とするリング３６の装着位置は均等に設定されている。また、これらリング３６の装着位置は、アウターバッグ２内にインナーバッグ３を落とし込み装着したとき、アウターバッグ２のリング２６と略同じ位置に来るようになっており、特段の位置合わせ作業を要することなく、略同位置にあるリング２６・３６の開口は、両バッグ２・３を内外方向に貫通する一つの貫通孔のように取り扱うことが可能となっている。
【００２４】
インナーバッグ３の上端開口縁には、一端がインナーバッグ３の周壁に縫合される布片３７ａと、布片３７ａの他端に装着されたリング３７ｂとで構成されて、スカーフ５のコーナー部（布端５ａ〜５ｄ）の挿入を許す布端挿入部３７が設けられている。前後の布端挿入部３７・３７は、インナーバッグ３の周壁を構成する前後側壁３５ａ・３５ｂの上端の左右方向の中央部に縫合されている。また、左右の布端挿入部３７・３７は、左右側壁３５ｃ・３５ｄの上端の前後方向の中央部に縫合されている。
【００２５】
本考案において使用されるスカーフ５は、図６に示すように長方四角形状のスカーフが好適であり、図２に示すように、アウターバッグ２の透明な周壁を介してスカーフ５の図柄模様５０を見せることで、バッグ１の外観体裁を整えることができ、また、スカーフ５を変更することで、現出される図柄模様５０を変えて、バッグ１の外観体裁を変更することができる。スカーフ５のインナーバッグ３への取り付け方法等については後に詳述する。
【００２６】
持手６は、合成樹脂、合皮、布などからなるバンド状の持手本体６１と、持手本体６１の両端に設けられたフック金具６２（係止部）とからなる。フック金具６２は、持手本体６１の両端を折り返して形成された連結孔６３に挿入される丸カン６４と、丸カン６４の下端に装着されたフック本体６５とで構成される。フック本体６５は、開口を有する半円弧状の鈎部６６と、鈎部６６の開口を閉じる閉姿勢（図５の左側に示す姿勢状態）と、開口を開く開姿勢（図５の右側に示す姿勢状態）との間で軸６７まわりに姿勢変位可能に構成された片開翼６８とを含む。片開翼６８は軸６７に外嵌装着されたバネ６９により閉姿勢に回動付勢されている。バネ６９の付勢力に抗して、片開翼６８の基端部に突出形成された操作片７０を上方に押し上げ操作することにより、片開翼６８を閉姿勢から開姿勢に変位操作することができる。なお、図示例のフック金具６２では、片開翼６８を閉姿勢としたとき、片開翼６８の先端部と鈎部６６の先端部が重なるようになっている。
【００２７】
図１および図７に示すインナーバッグ３用の持手７も、先の持手６と何ら変わるところは無い。従って、同一部材には同一の符号を付してその説明を省略する。なお、持手６・７には、各種アクセサリー９０を装着してもよい（図２および図７参照）。
【００２８】
図３において、符号８は、インナーバッグ３の上方開口３０を塞ぐカバー（蓋体）を示す。カバー８は、長方四角形状の布製のシート体を断面コ字状に折り曲げてなるものであり、上方開口を覆うカバー本体８０と、カバー本体８０の前後二辺のそれぞれから上方に折り曲げられた前後の装着壁８１ａ・８１ｂとを含む。カバー８は、マグネットボタン８２によりインナーバッグ３に固定され、また、適宜にインナーバッグ３から取り外すことができる。詳しくは、カバー８の前後の装着壁の装着壁８１ａ・８１ｂのそれぞれには、四つずつ雄型のマグネットボタン８２ａが固定されており、これに対応してインナーバッグ３の前後側壁３５ａ・３５ｂのそれぞれには雌型のマグネットボタン８２ｂが固定されており、両マグネットボタン８２ａ・８２ｂの雄雌形状を嵌め合わせることで、磁気吸着力によりカバー８は、インナーバッグ３に装着され、また、磁気吸着力に抗して両マグネットボタン８２ａ・８２ｂの嵌合状態を外すことで、カバー８をインナーバッグ３から取り外すことができる。
【００２９】
図３において、符号９は、インナーバッグ３の前後側壁３５ａ・３５ｂの上端内面のそれぞれに設けられた係合片を示す。係合片９・９は、基端部が前後側壁３５ａ・３５ｂの左右方向の中央部に縫合され、遊端部に面ファスナー１０を備える布片である。両係合片９・９の面ファスナー１０・１０どうしを係合させることで、インナーバッグ３の前後側壁３５ａ・３５ｂの左右方向の中央部が、両者が離れる方向に拡開変形することを防ぐことができる。
【００３０】
インナーバッグ３にスカーフ５を装着するには、まず、図６に示すように、例えば机上に広げられたスカーフ５の中央部にインナーバッグ３を載置する。このとき、スカーフ５の対角線方向にインナーバッグ３の長辺方向（左右方向）が向く斜め姿勢となるように、インナーバッグ３を載置する。次に、斜め姿勢に置かれたインナーバッグ３の左右側壁３５ｃ・３５ｄと対向するスカーフ５のコーナー部５ｃ・５ｄを布端挿入部３７のリング３７ｂの開口に挿入したうえで、リング３７ｂから内方向に突出するコーナー部５ｃ・５ｄのギャザー５３を整える。次に、同じ手順で、インナーバッグ３の前後側壁３５ａ・３５ｂと対向するスカーフ５のコーナー部５ａ・５ｂを布端挿入部３７のリング３７ｂの開口に挿入したうえで、リング３７ｂから内方向に突出するコーナー部５ａ・５ｂのギャザー５３を整える。このとき、各コーナー部５ａ〜５ｄのギャザー５３を引っ張って、図１に示すように、インナーバッグ３の周壁（前後左右側壁３５ａ〜３５ｄ）にスカーフ５が皺や弛み無く沿うようにすることが好ましい。また、図１に示すように、スカーフ５はリング３６を避けてインナーバッグ３に装着することが好ましい。
【００３１】
次に、スカーフ５が装着されたインナーバッグ３を、アウターバッグ２の上方開口２０から該バッグ２内に落とし込む。かかる落とし込み作業では、アウターバッグ２の内面にスカーフ５が接触することで、スカーフ５に皺ができたり、弛みが生じることがないように注意する。次に、両バッグ２・３に二本の持手６を取り付ける。具体的には、図４および図５に示すように、バネ６９の付勢力に抗して操作片７０を押し上げ操作して、片開翼６８を閉姿勢から開姿勢に姿勢変位させたうえで、鈎部６６の先端を両リング２６・３６に通し、或いは鈎部６６の先端をリング２６の開口に位置合わせする。次に、操作片７０を下げて、片開翼６８を閉姿勢に戻す。これにて、フック金具６２がリング２６・３６に係合して、持手６を両バッグ２・３に取り付けることができる。これにて、図２に示すように、透明なアウターバッグ２の周壁を介してスカーフ５の図柄が現出されたバッグ１を得ることができる。なお、必要に応じてカバー８をインナーバッグ３に装着することができることは言うまでもない。
【００３２】
また、インナーバッグ３は、それ自体をバッグ１およびアウターバッグ２とは異なるバッグとして使用することができる。すなわち、アウターバッグ２からインナーバッグ３を取り出し、スカーフ５をインナーバッグ３から取り外したうえで、図７に示すように、一対の持手７・７を、リング３６・３６を利用してインナーバッグ３に装着する。これにて、インナーバッグ３それ自体を通常のバッグとして使用することが可能となり、これは外出時に荷物が増えたとき等に便利である。
【符号の説明】
【００３３】
１  バッグ
２  アウターバッグ
３  インナーバッグ
５  布体（スカーフ）
５ａ、５ｂ、５ｃ、５ｄ  布端（コーナー部）
６  持手
７  持手
８  蓋体
２０  アウターバッグの上方開口
２６  持手装着部（リング）
３０  インナーバッグの上方開口
３７  布端挿入部
３６  持手装着部（リング）
６１  持手本体
６２  係止部（フック金具）
【図１】
0003158885.tif 000003
【図２】
0003158885.tif 000004
【図３】
0003158885.tif 000005
【図４】
0003158885.tif 000006
【図５】
0003158885.tif 000007
【図６】
0003158885.tif 000008
【図７】
0003158885.tif 000009
【手続補正書】
【提出日】平成22年2月17日(2010.2.17)
【手続補正１】
【補正対象書類名】明細書
【補正対象項目名】０００７
【補正方法】変更
【補正の内容】
【０００７】
本考案は、上方開口２０を有し、少なくともその周壁が透明なアウターバッグ２と、該アウターバッグ２の内形形状よりも小さな外形形状を有し、前記上方開口２０よりアウターバッグ２内に落とし込まれるインナーバッグ３とを備え、これらアウターバッグ２とインナーバッグ３との間に挟持される布体５を変更することで、外観体裁を変更し得るバッグに関する。インナーバッグ３の上方開口３０には、布体５の端部の挿入を許す布端挿入部３７が少なくとも４個設けられており、インナーバッグ３の外面に布体５を沿わしたうえで、布端挿入部３７に布体５の端部を挿入することで、インナーバッグ３の外面に布体５を装着することができるようになっている。インナーバッグ３およびアウターバッグ２の上方開口３０・２０のそれぞれには、持手６・７を取り付けるための持手装着部２６・３６が設けられている。そして、少なくともインナーバッグ３の持手７が、該インナーバッグ３に対して着脱可能に構成されていることを特徴とする。
なお、ここで言う透明とは、無色透明のほか、有色透明や半透明などを含む概念である。
【手続補正２】
【補正対象書類名】実用新案登録請求の範囲
【補正対象項目名】請求項１
【補正方法】変更
【補正の内容】
【請求項１】
上方開口（２０）を有し、少なくともその周壁が透明なアウターバッグ（２）と、該アウターバッグ（２）の内形形状よりも小さな外形形状を有し、前記上方開口（２０）よりアウターバッグ（２）内に落とし込まれるインナーバッグ（３）とを備え、これらアウターバッグ（２）とインナーバッグ（３）との間に挟持される布体（５）を変更することで、外観体裁を変更し得るバッグであって、
インナーバッグ（３）の上方開口（３０）には、布体（５）の端部の挿入を許す布端挿入部（３７）が少なくとも４個設けられており、インナーバッグ（３）の外面に布体（５）を沿わしたうえで、布端挿入部（３７）に布体（５）の端部を挿入することで、インナーバッグ（３）の外面に布体（５）を装着することができるようになっており、
インナーバッグ（３）およびアウターバッグ（２）の上方開口（３０・２０）のそれぞれには、持手（６・７）を取り付けるための持手装着部（２６・３６）が設けられており、
少なくともインナーバッグ（３）の持手（７）が、該インナーバッグ（３）に対して着脱可能に構成されていることを特徴とするバッグ。